(57)【要約】【課題】熟練工でなくても、塀の上部に雨水が流れる排水溝を設けることができる施工方法と、この施工に用いられる左官用鏝を提供することを目的とする。【解決手段】型枠２０、２１には、ガイド２２、２３が設けられている。ガイド２２、２３は、排水溝の深さ方向における底部１６、１７の位置を規定する第１および第２深さガイド２４、２５と、排水溝の幅方向における底部１６、１７の位置を規定する第１および第２位置ガイド２６、２７から構成されている。使用者が、これらのガイド２２、２３に沿って左官用鏝１０を動かすことにより、所定の排水溝が形成される。【選択図】図３
2011084978.tif 000002
【特許請求の範囲】
【請求項１】
排水溝を形成するための左官用鏝であって、握り部と、前記握り部の少なくとも一部を覆う左官用鏝部と、前記握り部と前記左官用鏝部を接続する接続部と、を備え、
前記左官用鏝部が、第１上部、第１側部、底部、第２側部、第２上部の順番でそれらを有し、
前記底部が前記握り部側に曲がり、
前記第１上部および前記第２上部が、略同一平面上に配置され、それぞれ外側に延びている左官用鏝。
【請求項２】
前記第１上部および前記第２上部の角がそれぞれ面取りされている、請求項１に記載の左官用鏝。
【請求項３】
前記底部が、第１底部、中底部、および第２底部を有し、
前記中底部が前記握り部側に曲がり、
前記第１底部が前記第１側部から延び、
前記第２底部が前記第２側部から延び、
前記中底部が前記第１底部および前記第２底部と重なり部分を持ち、前記重なり部分を増減させることにより、前記左官用鏝の幅方向の長さを調整可能とした、請求項１に記載の左官用鏝。
【請求項４】
排水溝を形成するための底部と、
底部に力を伝えるための握り部と、
前記排水溝の幅方向における前記底部の位置を規定する第１および第２位置ガイドと接触するための第１および第２側部と、
前記排水溝の深さ方向における前記底部の位置を規定する第１および第２深さガイドと接触するための第１および第２上部と、
前記底部、前記第１側部、前記第２側部、前記第１上部、および前記第２上部の少なくとも１つと前記握り部を接続する接続部と、を備えた左官用鏝。
【請求項５】
排水溝を形成するための形成部と、
前記形成部に力を伝えるための握り部と、
前記排水溝の幅方向における前記形成部の位置を規定している第１位置ガイドと接触するための第１側部と、
前記排水溝の深さ方向における前記形成部の位置を規定している第１深さガイドと接触するための第１上部と、
前記形成部、前記第１側部、および前記第１上部の少なくとも１つと前記握り部を接続する接続部と、を備えた左官用鏝。
【請求項６】
塀を形成するために、型枠の間にコンクリートを打設する工程と、
前記塀の上部に雨水が流れる排水溝を形成するために、型枠に配置された、前記第１位置ガイドと前記第１深さガイドの少なくとも一方に沿って、請求項４または５に記載の左官用鏝を動かす工程と、
を包含する、排水溝を有する塀の施工方法。
【発明の詳細な説明】
【技術分野】
【０００１】
本発明は、排水溝を有する塀の施工法と、その排水溝を形成するために適した左官用鏝に関するものである。
【背景技術】
【０００２】
一般に、コンクリート打設による塀の施工方法としては、根切り、砕石地業、基礎および塀の支柱となる鉄筋の配置、型枠を設置、型枠の間にコンクリートを打設するという工程が行われる。型枠としては、特許文献１や特許文献２に示されるような十分な強度を有するものが提案されている。また、従来の左官用鏝として、例えば、特許文献３や特許文献４に記載されているものがある。
【先行技術文献】
【特許文献】
【０００３】
【特許文献１】実用新案登録第３００３７４３号公報（図１、図２）
【特許文献２】特開平５−２３０９１３号公報（図９）
【特許文献３】登録実用新案第３１２７７０７公報（図４）
【特許文献４】登録実用新案第３１３０１０８公報（図２）
【発明の概要】
【発明が解決しようとする課題】
【０００４】
しかし、上述した工程で施工された塀では、塀の上部が平たくなり、塀の上部に埃がたまりやすい。このため、雨が降ると、塀の上部にたまった埃が雨水とともに塀の側面を流れ落ち、塀の側面が汚れるという問題が生じる。
【０００５】
本発明の上記問題に鑑みてなされたものであり、塀の上部から雨水が側面に流れない排水溝を有する塀の施工方法と、この施工に用いられる左官用鏝を提供することを目的とする。
【課題を解決するための手段】
【０００６】
本発明に係る左官用鏝は、排水溝を形成するための左官用鏝であって、握り部と、前記握り部の少なくとも一部を覆う左官用鏝部と、前記握り部と前記左官用鏝部を接続する接続部と、を備え、前記左官用鏝部が、第１上部、第１側部、底部、第２側部、第２上部の順番でそれらを有し、前記底部が前記握り部側に曲がり、前記第１上部および前記第２上部が、略同一平面上に配置され、それぞれ外側に延びている。
【０００７】
前記第１上部および前記第２上部の角は、それぞれ面取りされていてもよい。
【０００８】
前記底部が、第１底部、中底部、および第２底部を有し、前記中底部が前記握り部側に曲がり、前記第１底部が前記第１側部から延び、前記第２底部が前記第２側部から延び、前記中底部が前記第１底部および前記第２底部と重なり部分を持ち、前記重なり部分を増減させることにより、前記左官用鏝の幅方向の長さを調整可能としてもよい。
【０００９】
本発明に係る他の左官用鏝は、排水溝を形成するための底部と、底部に力を伝えるための握り部と、前記排水溝の幅方向における前記底部の位置を規定する第１および第２位置ガイドと接触するための第１および第２側部と、前記排水溝の深さ方向における前記底部の位置を規定する第１および第２深さガイドと接触するための第１および第２上部と、前記底部、前記第１側部、前記第２側部、前記第１上部、および前記第２上部の少なくとも１つと前記握り部を接続する接続部と、を備えている。
【００１０】
本発明に係る別の左官用鏝は、排水溝を形成するための形成部と、前記形成部に力を伝えるための握り部と、前記排水溝の幅方向における前記形成部の位置を規定している第１位置ガイドと接触するための第１側部と、前記排水溝の深さ方向における前記形成部の位置を規定している第１深さガイドと接触するための第１上部と、前記形成部、前記第１側部、および前記第１上部の少なくとも１つと前記握り部を接続する接続部と、を備えている。
【００１１】
本発明に係る排水溝を有する塀の施工方法は、塀を形成するために、型枠の間にコンクリートを打設する工程と、前記塀の上部に雨水が流れる排水溝を形成するために、型枠に配置された、前記第１位置ガイドと前記第１深さガイドの少なくとも一方に沿って、上述した左官用鏝を動かす工程と、を包含する。
【発明の効果】
【００１２】
本発明の排水溝を有する塀の施工方法によれば、熟練工でなくても、塀の上部に雨水が流れる排水溝を容易に設けることができる。このため、塀の上部にたまった埃が雨水とともに塀の側面を流れ落ち、塀の側面が汚れることがない。
【図面の簡単な説明】
【００１３】
【図１】本発明の一実施形態における排水溝を有する塀の施工法により施工された塀の外観図である。
【図２】本発明の排水溝を有する塀の施工方法に用いられる左官用鏝の一実施形態を示す図である。
【図３】本発明の一実施形態における排水溝を有する塀の施工工程を示す図である。
【図４】本発明の排水溝を有する塀の施工方法に用いられる左官用鏝の一実施形態を示す図である。
【図５】本発明の排水溝を有する塀の施工方法に用いられる左官用鏝の一実施形態を示す図である。
【図６】（ａ）は、本発明の排水溝を有する塀の施工方法に用いられる左官用鏝の一実施形態の略平面図であり、（ｂ）は、その一実施形態の略正面図である。
【図７】本発明の排水溝を有する塀の施工方法に用いられる左官用鏝の一実施形態を示す図である。
【発明を実施するための形態】
【００１４】
以下に、図面を参照しながら本発明の一実施形態における、排水溝を有する塀の施工法およびその排水溝を形成するために用いられる左官用鏝について説明する。
【００１５】
図１は、本発明の一実施形態における排水溝を有する塀の施工法により施工された塀１の外観図である。
【００１６】
塀１は、Ｖ字型の排水溝２を有し、排水溝２には少なくとも１つの排水口３が存在する。排水口３に流れ込む雨水は、排水出口４から塀１の外部に排出される。このため、本発明の一実施形態における排水溝を有する塀の施工法により施工された塀においては、雨が降ったとしても、塀１の上部にたまった埃が雨水とともに塀１の側面５，６を流れ落ちることがなく、それにより壁面が汚れるといことがない。
【００１７】
なお、排水口３に流れ込む雨水は、塀１の内部を通り下水路に流れてもよい。この場合、塀１は、排水口３から下水路までの排水路を有する。
【００１８】
図２は、本発明の排水溝を有する塀の施工方法に用いられる左官用鏝の一実施形態を示す図である。
【００１９】
左官用鏝１０は、左官用鏝１０を動かすための握り部１１と、握り部１１の少なくとも一部を覆う左官用鏝部１２と、握り部１１と左官用鏝部１２を接続する接続部１３を備えている。また、左官用鏝部１２は、第１上部１４、第１側部１５、底部１６、１７、第２側部１８、第２上部１９の順番でそれらを有している。底部１６、１７は、握り部１１の側に曲がっている。この左官用鏝１０では、底部１６、１７はＶ字状に曲がっている。また、第１上部１４および第２上部１９が略同一平面上に配置され、それぞれ外側に延びている。外側とは、握り部１１がある内側とは反対側をいう。また、第１側面１５は第２側面１８と対向している。第１側面１５と第２側面１８とは、略平行である。上述したように、接続部１３は、第１上部１４、第１側部１５、底部１６、１７、第２側部１８、および第２上部１９のうちの少なくとも１つと握り部１１を接続する。また、本実施形態では、第１側部１５と第２側部１８との形状は略同じである。また、本実施形態では、第１底部１６と第２底部１７との形状は略同じである。また、本実施形態では、第１上部１４と第２上部１９との形状は略同じである。また、第１上部１４と第１側部１５は、略直角でつながっていてもよし、第１上部１８と第２側部１６は、略直角でつながっていてもよい。左官用鏝１０は、図１に示す領域Ａにて主に用いられる。
【００２０】
なお、左官用鏝１０は、塀に排水溝を設けるために用いられるものであり、底部１６、１７は、必ずしもＶ字状に曲がっている必要はない。底部１６、１７は、塀に排水溝を設けることができる形状であればよく、例えば、底部１６、１７は、Ｕ字状に曲がっていてもよい。また、底部１６、１７の底は、平らになっていてもよい。底部１６、１７の底が平らになっていている場合、排水溝の断面が台形状、正方形状、または長方形状となってもよい。
【００２１】
図３は、本発明の一実施形態における排水溝を有する塀の施工工程を示す図である。具体的には、図３は、配置された型枠２０、２１の間にコンクリートを打設する工程の後を示している。ここで、型枠２０、２１の間にコンクリート３０を打設する工程の前には、従来と同様の、根切り、砕石地業、基礎および塀の支柱となる鉄筋の配置等の工程が実行されているものとする。
【００２２】
ただし、本発明の排水溝を有する塀の施工方法は、上述した根切り、砕石地業、基礎および塀の支柱となる鉄筋の配置等の工程の後に行われるものに限られない。例えば、特開平１０−６１２６７号公報に示されるような鉄骨を用いた塀に対しても、塀に排水溝を設けるために本発明の排水溝を有する塀の施工方法を用いることができる。また、既存の塀、例えばブロック塀の上に、上述した排水溝が設けられてもよい。その場合、ブロック塀が型枠２０、２１により挟まれ、配置された型枠２０、２１の間にコンクリートが打設される。なお、本明細書や本特許請求の範囲等において、コンクリートとは、モルタルをも含むものとする。
【００２３】
型枠２０、２１には、ガイド２２、２３が設けられている。具体的には、ガイド２２、２３は、排水溝の深さ方向における底部１６、１７の位置を規定する第１および第２深さガイド２４、２５と、排水溝の幅方向における底部１６、１７の位置を規定する第１および第２位置ガイド２６、２７を有している。使用者が、これらのガイド２２、２３に沿って左官用鏝１０を動かすことにより、所定の排水溝が形成される。なお、図３に示す例では、左官用鏝１０とガイド２２、２３との下には、コンクリートが打設されている。このため、塀１の排水溝２を挟んだ上面の平らな部分は、ガイド２２、２３の下部により形成される。また、打設されているコンクリートの鉛直方向の位置がガイド２２、２３の下部の鉛直方向の位置より低い場合、底部１６、１７の一部により排水溝２は形成される。ただし、左官用鏝１０の第１側部１５と第１位置ガイド２６との間には、数ｍｍ程度の隙間があってもよいし、左官用鏝１０の第２側部１８と第２位置ガイド２７との間には、数ｍｍ程度の隙間があってもよい。コンクリートに砂や砂利などを混ぜている場合、隙間がないと砂や砂利が左官用鏝１０の第１および第２側部１５、１８と第１および第２位置ガイド２６、２７との間はさまり、左官用鏝１０を動かすことができない場合があるからである。なお、上記隙間は数ｍｍに限られない。上記隙間は砂や砂利の大きさによって変化させてもよいからである。
【００２４】
使用者は、左官用鏝１０を第１および第２深さガイド２４、２５と、第１および第２位置ガイド２６、２７に沿って動かすことにより、所定の断面を有する排水溝を形成することができる。つまり、第１側部１５を第１位置ガイド２６と接触させ、第２側部１８を第２位置ガイド２７と接触させることにより、排水溝の幅方向における底部１６、１７の位置が規定される。また、第１上部１４を第１深さガイド２４と接触させ、第２上部１９を第１深さガイド２５と接触させることにより、排水溝の深さ方向における底部１６、１７の位置が規定される。このため、使用者は、熟練を必要とせず、所定の断面を有する排水溝を形成することができる。
【００２５】
本実施形態では、ガイド２２、２３は、型枠２０、２１に定木が設けられたものである。定木は、コンクリート３０を打設前に型枠２０、２１に設けられてもよいし、コンクリート３０を打設後に型枠２０、２１に設けられてもよい。クリート３０を打設前に定木を型枠２０、２１に設ける場合、コンクリート３０を打設後に定木を型枠２０、２１に設ける場合に比べ、塀の幅しかない作業空間で作業するという制約がなく、作業がしやすいというメリットがある。また、クリート３０を打設後に定木を型枠２０、２１に設ける場合、コンクリート３０を打設前に定木を型枠２０、２１に設ける場合に比べ、型枠２０、２１を設置した後に定木の位置を選べるというメリットがある。型枠２０、２１の精度や型枠２０、２１の設置精度が悪い場合に有効である。また、定木の材質としては、木材やウレタンが用いられてもよい。後述するように、型枠が湾曲している場合、定木としてウレタンが用いられてもよい。
【００２６】
なお、ガイドは、定木の代わりに、型枠２０、２１の上部を第１および第２深さガイドとし、型枠２０、２１の内側の面を第１および第２位置ガイドとしてもよい。ここで内側の面とは、型枠２０、２１がコンクリート３０と接する方の面である。これにより、定木を設ける工程を省略することができる。
【００２７】
図１に示す塀１を施工する場合、ガイド２２、２３は直線状となる。また、ガイド２２、２３は、排水口３がある方向に傾斜していてもよい。傾斜したガイド２２、２３に応じて、排水溝が形成されると、その排水溝の雨水が排水口３に向かって流れやすくなるからである。
【００２８】
図１に示すように、排水溝２は少なくとも１つの排水口３を備えている。排水口３は、コンクリート３０を打設する前にボイド枠（図示せず）を型枠２０、２１内に配置し、コンクリート３０が固まった後にボイド枠を引き抜くことにより形成することができる。ボイド枠を引き抜くことにより形成された排水路は、排水出口４とつながっており、排水口３からの雨水を排水出口４から排出することができる。
【００２９】
つまり、排水溝２が形成された際には、ボイド枠が排水溝２より上に出ており、図２に示す左官用鏝１０では、ボイド枠周りの領域Ｂでの作業が困難となる。しかし、使用者は、領域Ｂでは、図４に示す左官用鏝４０を使用することが可能である。
【００３０】
図４は、本発明の排水溝を有する塀の施工方法に用いられる左官用鏝の一実施形態を示す図である。図４において、破線部は、図２に示す左官用鏝１０の左官用鏝部１２の外形を示し、実線は左官用鏝４０から握り部と接続部を除いた、形成部４１、第１側部４２、および第１上部４３の外観を示している。
【００３１】
左官用鏝４０は、左官用鏝４０を動かすために用いられる握り部（図示せず）と、形成部４１と、第１側部４２と、第１上部４３と、形成部４１、第１側部４２および第１上部４３のうちの少なくとも１つと握り部を接続する接続部（図示せず）とを備えている。形成部４１と、第１側部４２と、第１上部４３とは、これらの順番でつながっている。なお、第１上部４４と第１側部４５は、略直角でつながっていてもよい。
【００３２】
形成部４１は、排水溝の片側を形成するために用いられる。形成部４１と第１側部４２とが接する方向（以下、第１上部が延びる方向という）の形成部４１の長さは、左官用鏝１０の底部１６と第１側部１５とが接する方向（以下、第１上部が延びる方向という）の底部１６の長さよりも短くてもよい。Ｂ領域はＡ領域に比べ狭いため、左官用鏝の第１上部が延びる方向の長さが短い方が作業者にとって作業がしやすいからである。
【００３３】
また、形成部４１と第１側部４２とが接する方向と垂直となる方向の、形成部４１の長さは、左官用鏝１０の底部１６と第１側部１５とが接する方向と垂直となる方向の、左官用鏝１０の底部１６の長さよりも短くてもよい。ボイド枠をさけるためである。
【００３４】
また、形成部４１は、図４に示すように台形状であってもよい。ボイド枠の直径が変化しても、ほぼ１つの左官用鏝４０にて対応することができるからである。具体的には、形成部４１の平行ではない辺をボイド枠に沿わすことによりボイド枠周りの排水溝を形成することができるからである。
【００３５】
なお、図４では、形成部４１の形状は台形状であったが、形成部４１と第１側部４２とが接する辺４５と対向する方向の辺４４の長さが、形成部４１と第１側部４２とが接する辺４５の長さより短ければ、形成部４１と第１側部４２とが接する辺４５と、それに対向する辺４４との間は、曲線状であってもよい。
【００３６】
また、図４では、形成部４１の形状は、三角形、四角形等の多角形であってもよい。例えば、形成部４１の形状が四角形であり、形成部４１と第１側部４２とが接する辺からのその四角形の高さが、対応する左官用鏝１０の第１底部１６の高さより低い場合、ボイド枠の径によっては、形成部４１と第１側部４２とが接する辺と対向する方向の辺にて、ボイド枠周りの排水溝を形成することができるからである。ここで、左官用鏝１０の第１底部１６の高さとは、第１底部１６と第１側部１６とが接する辺と第１底部１６と第２底部１７とが接する辺との間の最短の長さをいう。
【００３７】
使用者が左官用鏝４０を第１深さガイドおよび第１位置ガイドに沿って動かすことにより、所定の断面を有する排水溝の一方の側面を形成することができる。つまり、第１側部４２を第１位置ガイドと接触させることにより、排水溝の幅方向における形成部４１の位置が規定され、第１上部４３を第１深さガイドと接触させることにより、排水溝の深さ方向における形成部４１の位置が規定されるため、使用者は、熟練を必要とせず、所定の断面を有する排水溝を形成することができる。同様に、使用者が左官用鏝４０を第２深さガイドおよび第２位置ガイドに沿って動かすことにより、所定の断面を有する排水溝の他方の側面を形成することができる。
【００３８】
なお、上述した例では、排水口３および排水路を形成するためにボイド枠を用いたが、スリーブにより排水路が形成される場合は、左官用鏝４０により、ボイド枠周りの領域Ｂで排水溝を形成し、コンクリートが固まった後、排水溝２より上にあるスリーブを鋸やカッタ等で切断することにより、排水口３および排水路を形成することができる。
【００３９】
図５は、本発明の排水溝を有する塀の施工方法に用いられる左官用鏝の一実施形態を示す図である。左官用鏝５０は、図１に示す領域Ｃにて主に用いられ、左官用鏝５０を図２に示すガイド２２、２３に沿って動かすことにより、所定の傾きを有するコーナーの側面を形成することができる。
【００４０】
図５に示す左官用鏝５０は、左官用鏝５０を動かすための握り部５１と、握り部５１の少なくとも一部を覆う左官用鏝部５２と、握り部５１と左官用鏝部５２を接続する接続部５３を備えている。また、左官用鏝部５２は、第１上部５４、第１側部５５、底部５６、５７、第２側部５８、第２上部５９の順番でそれらを有している。底部５６、５７は、握り部５１の側に曲がっている。この左官用鏝５０では、Ｖ字状に曲がっている。また、第１上部５４および第２上部５９が略同一平面上（以下、平面αという）に配置され、それぞれ外側に延びている。外側とは、握り部５１がある内側とは反対側をいう。また、第１側面５５は第２側面５８と対向している。第１側面５５と第２側面５８とは、略平行である。上述したように、接続部５３は、第１上部５４、第１側部５５、底部５６、５７、第２側部５８、および第２上部５９のうちの少なくとも１つと握り部５１を接続する。また、第１上部５４と第１側部５５は、略直角でつながっていてもよし、第１上部５８と第２側部５６は、略直角でつながっていてもよい。
【００４１】
本実施形態では、底部５６、５７の形状は台形状であり、底部５６と底部５７とは相似形である。ここで、底部５６では、底部５６と第１側部５５とが接する辺と、底部５６と底部５７の接する辺は、略平行である。底部５６では、対向する辺のうち平行でない辺の一方と、底部５６と第１側部５５とが接する辺とを平面αに投影した場合、投影されたもののなす角は、４５度となる。また、同様に、底部５６では、対向する辺のうち平行でない辺の他方と、底部５６と第１側部５５とが接する辺とを平面αに投影した場合、投影されたもののなす角は、４５度となる。また、本実施形態では、第１側部５５と第２側部５８との高さは等しい。ここで、第１側部５５の高さとは、第１上部５４と第１側部５５の接する辺と、第１側部５５と第１底部５６とが接する辺との間の最短距離をいう。また、第２側部５８の高さとは、第２上部５９と第２側部５８の接する辺と、第２側部５８と第２底部５７とが接する辺との間の最短距離をいう。また、本実施形態では、第１底部５６の台形の高さと第２底部５７の台形の高さは、等しい。
【００４２】
図１に示すように塀が直角に接続されている場合、使用者は、そのコーナーの排水溝を左官用鏝５０により成形することができる。具体的には、使用者は、左官用鏝５０を第１および第２深さガイド２４、２５と、第１および第２位置ガイド２６、２７に沿って動かすことにより、所定の傾きを有する排水溝のコーナーを形成することができる。つまり、第１側部５５を第１位置ガイド２６と接触させ、第２側部５８を第２位置ガイド２７と接触させることにより、排水溝の幅方向における底部５６、５７の位置が規定される。また、第１上部５４を第１深さガイド２４と接触させ、第２上部５９を第１深さガイド２５と接触させることにより、排水溝の深さ方向における底部５６、５７の位置が規定される。このため、使用者は、熟練を必要とせず、所定の傾きを有する排水溝を形成することができる。ただし、左官用鏝５０の第１側部５５と第１位置ガイド２６との間には、数ｍｍの隙間があり、左官用鏝１０の第２側部１８と第２位置ガイド５７との間には、数ｍｍの隙間があってもよい。コンクリートに砂などを混ぜている場合、砂が左官用鏝１０の第１および第２側部５５、５８と第１および第２位置ガイド２６、２７との間はさまり、左官用鏝５０を動かすことができない場合があるからである。
【００４３】
図６（ａ）は、本発明の排水溝を有する塀の施工方法に用いられる左官用鏝の一実施形態の略平面図であり、図６（ｂ）は、その一実施形態の略正面図である。図６に示す左官用鏝６０では、左官用鏝６０の幅方向の長さを可変することができる。
【００４４】
左官用鏝６０は、左官用鏝６０を動かすための握り部６１と、握り部６１の少なくとも一部を覆う左官用鏝部６２と、握り部６１と左官用鏝部６２を接続する接続部６３を備えている。また、左官用鏝部６２は、第１上部６４、第１側部６５、底部６６、６７、７０、第２側部６８、第２上部６９の順番でそれらを有している。底部６６、６７、７０は、第１底部６６、中底部７０、および第２底部６７を有している。中底部７０は、握り部６１の側に曲がっている。この左官用鏝６０では、中底部７０はＶ字状に曲がっている。また、このＶ字状の曲がり具合は、左官用鏝１０の底部１６、１７の曲がり具合と同じである。つまり、左官用鏝１０と左官用鏝６０とを正面からみた場合、両方の左官用鏝のＶ字の角度は略同じとなる。なお、第１上部６４と第１側部６５は、略直角でつながっていてもよし、第１上部６８と第２側部６６は、略直角でつながっていてもよい。
【００４５】
第１底部６６は第１側部６５から所定の角度で延び、第２底部６７は第２側部６８から所定の角度で延びている。中底部７０が第１底部６６および第２底部６７と重なり部分を持ち、使用者は、この重なり部分を増減させることにより、左官用鏝６０の幅方向の長さを調整することができる。
【００４６】
本実施形態では、中底部７０に複数のボルトが取り付けられ、第１底部６６には、そのボルトに対応する少なくとも１つの長穴があけられ、同様に第２底部６７には、そのボルトに対応する少なくとも１つの長穴があけられている。中底部７０のそれらのボルトは、第１底部６６および第２底部６７の長穴を通り、ナット７１がそれらのボルトに取り付けられる。ナット７１を回転させ締め付けることにより、中底部７０は、第１底部６６および第２底部６７に固定される。これらの長穴の長手方向の長さによって、左官用鏝６０の可変できる幅方向の長さが決定される。本実施形態では、ボルトとナットにより、中底部７０が第１底部６６および第２底部６７に固定されたが、公知の留め金等により、中底部７０が第１底部６６および第２底部６７に固定されてもよい。
【００４７】
本実施形態では、左官用鏝６０の剛性をあげるために、左官用鏝６０は、さらに補助部７２、７３を備えている。補助部７３に少なくとも１つのボルトが取り付けられ、補助部７２には、そのボルトに対応する少なくとも１つの長穴があけられる。ナット７１を回転させ締め付けることにより、補助部７３は、補助部７２に固定される。これらの長穴の長手方向の長さによって、左官用鏝６０の可変できる幅方向の長さが決定される。本実施形態では、ボルトとナットにより、補助部７３が補助部７２に固定されたが、公知の留め金等により、補助部７３が補助部７２に固定されてもよい。
【００４８】
また、第１上部６４および第２上部６９が略同一平面上に配置され、それぞれ外側に延びている。外側とは、握り部６１がある内側とは反対側をいう。また、第１側面６５は第２側面６８と対向している。第１側面６５と第２側面６８とは略平行である。上述したように、接続部６３は、第１上部６４、第１側部６５、第１底部６６、中底部７０、第２底部６７、第２側部６８、第２上部６９のうちの少なくとも１つと握り部１１を接続するが、図６に示す左官用鏝６０では、中底部７０と握り部１１を接続する。また、本実施形態では、第１側部６５と第２側部６８との形状は略同じである。また、本実施形態では、第１底部６６と第２底部６７との形状は略同じである。また、本実施形態では、第１上部６４と第２上部６９との形状は略同じである。左官用鏝６０は、図１に示す領域Ａにて主に用いられる。
【００４９】
なお、左官用鏝６０は、塀に排水溝を設けるために用いられるものであり、中底部７０は、必ずしもＶ字状に曲がっている必要はない。中底部７０は、塀に排水溝を設けることができる形状であればよく、例えば、中底部７０は、Ｕ字状に曲がっていてもよい。
【００５０】
使用者は、左官用鏝１０と同様に、左官用鏝６０を第１および第２深さガイド２４、２５と、第１および第２位置ガイド２６、２７に沿って動かすことにより、所定の断面を有する排水溝を形成することができる。
【００５１】
図７は、本発明の排水溝を有する塀の施工方法に用いられる左官用鏝の一実施形態を示す図である。図７に示す左官用鏝８０は、主に円状、円弧状、楕円状等の湾曲している塀（図示せず）に排水溝を設けるために用いられる。
【００５２】
左官用鏝８０は、左官用鏝８０を動かすための握り部８１と、握り部８１の少なくとも一部を覆う左官用鏝部８２と、握り部８１と左官用鏝部８２を接続する接続部８３を備えている。また、左官用鏝部８２は、第１上部８４、第１側部８５、底部８６、８７、第２側部８８、第２上部８９の順番でそれらを有している。底部８６、８７は、握り部８１の側に曲がっている。この左官用鏝８０では、底部８６、８７はＶ字状に曲がっている。また、第１上部８４および第２上部８９が略同一平面上に配置され、それぞれ外側に延びている。外側とは、握り部８１がある内側とは反対側をいう。また、第１側面８５は第２側面８８と対向している。図７に示す左官用鏝８０では、第１側面８５と第２側面８８とは、略平行である。上述したように、接続部８３は、第１上部８４、第１側部８５、底部８６、８７、第２側部８８、第２上部８９のうちの少なくとも１つと握り部８１を接続する。なお、第１上部８４と第１側部８５は、略直角でつながっていてもよし、第１上部８８と第２側部８６は、略直角でつながっていてもよい。
【００５３】
湾曲した型枠にセメントを打設すると、その湾曲に沿った塀が形成される。この場合、ガイドは、その水平方向には湾曲しないが、塀が延びる方向にガイドは、湾曲した型枠とほぼ同様に湾曲する。したがって、左官用鏝７０の最外部である、第１上部８４および第２上部８９に角があれば、第１上部８４および第２上部８９の角が型枠に接触し、湾曲したガイドに沿って排水溝を形成することができなくなる。そこで、本実施形態では、第１側部８５および第２側部８９の角が面取りされている。このため、型枠が湾曲していても、塀の上部に所定の排水溝を形成することができる。
【００５４】
左官用鏝１０では、左官用鏝１０は第１および第２位置ガイド２６、２７に沿って動かされたが、図７に示す左官用鏝７０では、塀が延びる方向にガイドが湾曲しているため、第１側部８５および第２側部８９の少なくとも一方は、位置ガイドと接触しないことが好ましい。また、図７に示す左官用鏝７０では、左官用鏝７０を動かす方向の、第１側部８５、底部８６、８７、第２側部８８の長さは、略１０ｍｍ〜略４０ｍｍであってもよい。左官用鏝７０を動かす方向の第１側部８５等の長さが略１０ｍｍ〜略４０ｍｍであれば、通常の建築現場で施工される湾曲した塀の型枠のガイドに沿って左官用鏝７０を動かすことができるからである。
【００５５】
また、第１側部８５および第２側部８９が外側に凸となるように湾曲している場合には、第１側部８５および第２側部８９は、位置ガイドと接触してもよい。この場合、第１上部８４と第１側部８５とが接する線部が外側に凸となる略円弧状となり、第１側部８５と底部８６とが接する線部が外側に凸となる略円弧状となる。同様に、第２上部８９と第２側部８８とが接する線部が外側に凸となる略円弧状となり、第２側部８８と底部８７とが接する線部が外側に凸となる略円弧状となる。
【００５６】
また、第１上部８４と第１側部８５とが接する線部が外側に凸となる略円弧状となる場合、第１上部８４は扇形状であってもよい。同様に、第２上部８９と第２側部８８とが接する線部が外側に凸となる略円弧状となる場合、第２上部８９は扇形状であってもよい。
【００５７】
本発明は、上述した実施形態に限定されるものではない。例えば、左官用鏝の底部にコンクリートを引き寄せるまたは押し込むための所定の高さを有する部分が設けられてもよい。その所定の高さを有する部分は、底部がＶ字状である場合、その曲がっている部分に沿って底部の縁から略１０ｍｍ〜略４０ｍｍほど切断し、切断された辺を一辺とする三角形を形成するように、底部を左官用鏝の内部に折り曲げることにより、設けられてもよい。同様に、底部の他方の縁が折り曲げられていてもよい。ここで、底部の縁とは、第１および第２側部に接していない方の辺の辺りをいう。さらに、上述した切断部分に加え、底部と第１および第２側部とが接する部分が底部の縁から略１０ｍｍ〜略４０ｍｍほど切断されている場合、折り曲げられた部分の形状は、台形または長方形となってもよい。なお、左官用鏝７０の底部の縁が折り曲げられたとしても、左官用鏝７０を動かす方向の底部の最も長い部分の長さが略１０ｍｍ〜略４０ｍｍとなるように、予め左官用鏝７０を動かす方向の底部の長さは決められている。底部が金属である場合、所定の径または幅を有する金属棒が底部に沿って曲げられ底部のコンクリートと接しない方の面（接続部８３が接続されている方の面）の縁に溶接されてもよい。底部が曲線的に曲がっていても、その底部に所定の高さを有する部分を設けることができる。このような底部にコンクリートを引き寄せるまたは押し込むための所定の高さを有する部分が設けられた左官用鏝は、排水溝の大まかな形を形成するのに使用されてもよい。
【００５８】
上述したように、本発明に係る左官用鏝は、排水溝を形成するための左官用鏝であって、握り部と、前記握り部の少なくとも一部を覆う左官用鏝部と、前記握り部と前記左官用鏝部を接続する接続部と、を備え、前記左官用鏝部が、第１上部、第１側部、底部、第２側部、第２上部の順番でそれらを有し、前記底部が前記握り部側に曲がり、前記第１上部および前記第２上部が、略同一平面上に配置され、それぞれ外側に延びている。型枠に設けられたガイドに前記第１上部、前記第１側部、前記第２側部、および前記第２上部を沿わして本発明に係る左官用鏝を動かすことにより、熟練工でなくとも容易に排水溝を塀の上部に形成することができる。
【００５９】
前記第１上部および前記第２上部の角は、それぞれ面取りされていてもよい。湾曲した型枠であっても、それらに設けられたガイドに少なくとも前記第１上部および前記第２上部の少なくとも一方を沿わして本発明に係る左官用鏝を動かすことにより、熟練工でなくとも容易に排水溝を湾曲した塀の上部に形成することができる。
【００６０】
前記底部が、第１底部、中底部、および第２底部を有し、前記中底部が前記握り部側に曲がり、前記第１底部が前記第１側部から延び、前記第２底部が前記第２側部から延び、前記中底部が前記第１底部および前記第２底部と重なり部分を持ち、前記重なり部分を増減させることにより、前記左官用鏝の幅方向の長さを調整可能としてもよい。このため、型枠間の長さが異なる場合でも、１つの左官用鏝で対応できる。また、型枠間の長さにあって左官用鏝を購入する必要がなく、また、多くの左官用鏝を持ち歩く必要もなく、このような幅方向の長さを調整可能な左官用鏝は環境に優しい。
【００６１】
本発明に係る他の左官用鏝は、排水溝を形成するための底部と、底部に力を伝えるための握り部と、前記排水溝の幅方向における前記底部の位置を規定する第１および第２位置ガイドと接触するための第１および第２側部と、前記排水溝の深さ方向における前記底部の位置を規定する第１および第２深さガイドと接触するための第１および第２上部と、前記底部、前記第１側部、前記第２側部、前記第１上部、および前記第２上部の少なくとも１つと前記握り部を接続する接続部と、を備えている。前記第１および第２側部が、型枠にある第１および第２位置ガイドと接触し、前記排水溝の幅方向における前記底部の位置を規定し、前記第１および第２上部が、前記型枠にある第１および第２深さガイドと接触し、前記排水溝の深さ方向における前記底部の位置を規定するため、型枠に設けられたガイドに前記第１上部、前記第１側部、前記第２側部、および前記第２上部を沿わして本発明に係る他の左官用鏝を動かすことにより、熟練工でなくとも容易に排水溝を塀の上部に形成することができる。
【００６２】
本発明に係る別の左官用鏝は、排水溝を形成するための形成部と、前記形成部に力を伝えるための握り部と、前記排水溝の幅方向における前記形成部の位置を規定している第１位置ガイドと接触するための第１側部と、前記排水溝の深さ方向における前記形成部の位置を規定している第１深さガイドと接触するための第１上部と、前記形成部、前記第１側部、および前記第１上部の少なくとも１つと前記握り部を接続する接続部と、を備えている。前記第１側部が、型枠にある第１位置ガイドと接触し、前記排水溝の幅方向における前記底部の位置を規定し、前記第１上部が、前記型枠にある第１深さガイドと接触し、前記排水溝の深さ方向における前記底部の位置を規定するため、型枠に設けられたガイドに前記第１上部および前記第１側部を沿わして本発明に係る別の左官用鏝を動かすことにより、熟練工でなくとも容易にボイド枠周りの排水溝を塀の上部に形成することができる。
【００６３】
本発明に係る排水溝を有する塀の施工方法は、塀を形成するために、型枠の間にコンクリートを打設する工程と、前記塀の上部に雨水が流れる排水溝を形成するために、型枠に配置された、第１および第２位置ガイドと、第１および第２深さガイドとに沿って、排水溝を形成するための底部と、底部に力を伝えるための握り部と、前記排水溝の幅方向における前記底部の位置を規定する前記第１および第２位置ガイドと接触するための第１および第２側部と、前記排水溝の深さ方向における前記底部の位置を規定する前記第１および第２深さガイドと接触するための第１および第２上部と、前記底部、前記第１側部、前記第２側部、前記第１上部、および前記第２上部の少なくとも１つと前記握り部を接続する接続部と、を備えている左官用鏝を動かす工程と、を包含する。このため、熟練工でなくとも容易に排水溝を塀の上部に形成することができ、雨が降っても、塀の上部にたまった埃が雨水とも排水溝を通り排水口に流れるため、塀の側面が雨水により汚れるという問題が生じない。また、本発明に係る排水溝を有する塀の施工方法は、塀を形成するために、型枠の間にコンクリートを打設する工程と、前記塀の上部に雨水が流れる排水溝を形成するために、型枠に配置された、前記第１位置ガイドと前記第１深さガイドの少なくとも一方に沿って、前記左官用鏝を動かす工程と、を包含する。前記第１位置ガイドと前記第１深さガイドの少なくとも一方に沿って前記左官用鏝を動かすことにより、前記排水溝の大まかな形状が形成されてもよい。
【００６４】
本発明に係る排水溝を有する塀の施工方法は、塀を形成するために、型枠の間にコンクリートを打設する工程と、前記塀の上部に雨水が流れる排水溝を形成するために、型枠に配置された、前記第１位置ガイドと前記第１深さガイドの少なくとも一方に沿って、排水溝を形成するための形成部と、前記形成部に力を伝えるための握り部と、前記排水溝の幅方向における前記形成部の位置を規定している第１位置ガイドと接触するための第１側部と、前記排水溝の深さ方向における前記形成部の位置を規定している第１深さガイドと接触するための第１上部と、前記形成部、前記第１側部、および前記第１上部の少なくとも１つと前記握り部を接続する接続部と、を備えている左官用鏝を動かす工程と、を包含する。このため、熟練工でなくとも容易に排水溝を塀の上部に形成することができ、雨が降っても、塀の上部にたまった埃が雨水とも排水溝を通り排水口に流れるため、塀の側面が雨水により汚れるという問題が生じない。
【符号の説明】
【００６５】
１        塀
２        排水溝
３        排水口
４        排水出口
５、６    側面
１０        左官用鏝
１１        握り部
１２        左官用鏝部
１３        接続部
１４        第１上部
１５        第１側部
１６、１７  底部
１８        第２側部
１９        第２上部
【図１】
2011084978.tif 000003
【図２】
2011084978.tif 000004
【図３】
2011084978.tif 000005
【図４】
2011084978.tif 000006
【図５】
2011084978.tif 000007
【図６】
2011084978.tif 000008
【図７】
2011084978.tif 000009